(57)【特許請求の範囲】
【請求項１】
焦点検出領域で照明から照射される照明光を反射して撮影者の目に導くための複数の反射プリズムからなる反射プリズム群と、被写体からの光や照明から照射される照明光を撮影者の目に導く方向に透過ならびに反射させないように前記反射プリズム群を囲うように形成された枠線とを有する、カメラのファインダー内に設けられる表示部材において、
前記枠線の線幅内に複数の円錐部が配列され、かつ、前記円錐部の配列により構成された線の両側において前記線幅内に前記円錐部より低い凸部が配列されていることを特徴とする表示部材。
【請求項２】
前記表示部材は、前記ファインダー内に設けられる光学平板であることを特徴とする請求項１に記載の表示部材。
【請求項３】
請求項１に記載の表示部材の枠線の金型加工方法であって、被加工物に前記枠線を形成する円錐部及び凸部を凹状に反転させた形状を形成するため、前記被加工物に角錐形の工具を回転させて切削加工する、
ことを特徴とする表示部材の枠線の金型加工方法。
【請求項４】
請求項１に記載の表示部材をファインダー光学系に配置したカメラ。
【発明の詳細な説明】
【技術分野】
【０００１】
本発明は、スーパーインポーズ機能を有するカメラのファインダー内に設けられる表示部材、表示部材の枠線の金型加工方法及び表示部材を用いたカメラに関する。
【背景技術】
【０００２】
従来、カメラのファインダーは、撮像範囲の物体を視認すると同時に、撮像範囲、測距範囲、測光範囲を示す指標となるスーパーインポーズ機能を備えている。さらに、近年は、撮影視野内で複数の測距、測光ポイントを設定して場面に応じて最適な測距、測光を行える機能を付加したカメラが実現している。このようなカメラは、その測距、測光ポイントの位置を示す複数の指標をファインダー視野内で発光、非発光で、表示、非表示に切り替えることにより、撮影者にその位置を知らせている。
【０００３】
しかしながら、従来のスーパーインポーズ機能は金属膜蒸着を行っており、製造コストが高く、また、蒸着位置ずれの発生で見えの品位が良くないという課題を有していた。これに対し、例えば特許文献１では、低コストで視認性の良いスーパーインポーズ表示方法として、光学平板上に測距、測光ポイントの位置を示す複数の四角形の枠と反射プリズム群を設けている。この反射プリズム群は、四角形の枠が形成されている光学平板の表面と反対側の表面に、少なくとも２方向に傾斜した斜面同士が接して形成される稜線からなる反射プリズムを稜線の向きが同一になるように複数配列して形成されたものである。
【０００４】
また、照明からの照射光を斜面で反射させて撮影者の目に反射光を届くようにするものである。撮影者は、照明発光時に反射プリズムの反射光が撮影者の瞳に導かれることにより、ファインダー内で点灯を視認できる。一方、照明非発光時は、撮影者はファインダー内の反射プリズム群が存在する範囲を点として視認できる。
【０００５】
一方、ファインダー上でオートフォーカス位置を撮影者に認識させるために、光学平板上に四角形などの枠が形成されている。例えば、特許文献２では、枠を構成する枠線の形状をＶ字凸形状で形成する方法が開示されている。このことにより、光がＶ字凸形状の斜面で曲がり撮影者の目に光が届かなく、撮影者はＶ字凸形状を黒い線状の指標として認識することができる。
【先行技術文献】
【特許文献】
【０００６】
【特許文献１】特開２００５−３３８６６２号公報
【特許文献２】特開２００８−１８０９７０号公報
【発明の概要】
【発明が解決しようとする課題】
【０００７】
しかしながら、従来の光学平板は、特許文献１と特許文献２の併用だけでは枠線の鮮明性が劣るという問題があった。図９に従来例の光学平板を示す。（Ａ）は光学平板上の枠線及び反射プリズム群の断面図であり、（Ｂ）はファインダー視野内図である。図９(Ａ)に示すように、被写体からの光Ｌが反射プリズム１１１の斜面１１２及び１１３で屈折して光学平板１０１内を通り、Ｖ字凸形状１１４の傾斜面１１５及び１１６で屈折して、撮影者の目に届くことがあった。この現象は、ある一定の高さの枠線のＶ字凸形状の稜線と反射プリズムの稜線が平行であるときに発生する。
【０００８】
図９(Ｂ)は、左右中央領域内の枠線をファインダー内で観察した図である。前記現象により光Ｌが撮影者の目に導かれて、枠線内の反射プリズムが形成されている枠線１２１の範囲が白く抜けることがあった。このことによって、枠線内で色の濃淡に差がつき、枠線の視認性が悪化するという問題があった。
【０００９】
従って、本発明の目的は、指標となる枠線の鮮明性及び枠外周輪郭の凹凸を少なくして、指標の視認性に優れるファインダー内に設けられる表示部材及び表示部材の枠線の金型加工方法を提供することである。
【課題を解決するための手段】
【００１０】
上記目的を達成するため、本発明のカメラのファインダー内に設けられる表示部材は、焦点検出領域で照明から照射される照明光を反射して撮影者の目に導くための複数の反射プリズムからなる反射プリズム群と、被写体からの光や照明から照射される照明光を撮影者の目に導く方向に透過ならびに反射させないように前記反射プリズム群を囲うように形成された枠線とを有する、カメラのファインダー内に設けられる表示部材において、前記枠線の線幅内に複数の円錐部が配列され、かつ、前記円錐部の配列により構成された線の両側において前記線幅内に前記円錐部より低い凸部が配列されていることを特徴としている。
【００１１】
また、上記目的を達成するため、本発明のカメラのファインダー内に設けられる表示部材の枠線の金型加工方法は、前記枠線を形成する円錐部及びＶ字を凹状に反転させた形状に対して、角錐工具を回転させて切削加工することを特徴としている。
【００１２】
更に、上記目的を達成するため、本発明のカメラは、上記表示部材をファインダー光学系に配置したことを特徴としている。
【発明の効果】
【００１３】
本発明によれば、一眼レフカメラに用いられ、ファインダー内に設けられる表示部材に形成される凸部からなる枠線の形状が、所望の線幅内で複数配列された円錐部と、その両端に配置された所望の線幅内で円錐部より低いＶ字形の凸部により構成されている。そのため、スーパーインポーズ機能の視認性向上のみならず、枠線の濃度を均一化でき、視認性を向上させることが可能となる。
【図面の簡単な説明】
【００１４】
【図１】本発明に係る一実施形態によるファインダー内に設けられる表示部材としての光学平板を備えた一眼レフカメラの光学系の構成を示す概略図である。
【図２】本発明の実施形態におけるカメラの光学平板の図である。
【図３】図２の光学平板の指標としての枠内の反射プリズムの平面図である。（Ａ）は図２の光学平板の左右領域の反射プリズムである。（Ｂ）は図２の光学平板の中央領域の反射プリズムである。
【図４】図２の光学平板の左右領域における指標としての枠の部分拡大図である。
【図５】図２の光学平板の左右領域における指標としての枠の部分拡大図である。（Ａ）は平面図である。（Ｂ）は（Ａ）のＡ−Ａ断面図である。
【図６】光学平板を成形するのに使用する金型を製作する加工機の模式図である。（Ａ）は平面図である。（Ｂ）は正面図である。
【図７】図６の加工機に使用される回転工具の図である。（Ａ）は回転工具を先端側から見た図である。（Ｂ）は正面図である。
【図８】図２の光学平板の製造方法を説明する概略図である。
【図９】従来例の光学平板を示す図である。(Ａ)は光学平板上の枠線及び反射プリズム群の断面図である。(Ｂ)はファインダー視野内図である。
【発明を実施するための形態】
【００１５】
本発明の係る一実施形態によるファインダー内表示部材を添付の図面に基づいて詳細に説明する。なお、以下の実施形態に記載する数値は、参考数値であって、いかなる意味においても本発明を限定するものではないことは言うまでもない。
【００１６】
図１は、本発明に係る実施形態によるファインダー（ファインダー光学系）内に設けられた表示部材としての光学平板６を備えた一眼レフカメラ１の光学系の構成を示す概略図である。
【００１７】
不図示の被写体からの光によって生じた被写体像は、撮影光学系２を含むレンズ鏡筒３を通り、カメラボディ４内のクイックリターンミラー５で反射し光学平板６上に結像する。レンズ鏡筒３は、カメラボディ４に着脱自在または一体化されている。クイックリターンミラー５の後方（撮影光学系２からの光の直進する方向）には、不図示の銀塩フィルムや固体撮像素子（ＣＣＤやＣＭＯＳセンサ）が配置されている。
【００１８】
クイックリターンミラー５は、カメラのレリーズに連動して回動することにより、撮影光路とファインダー光路を切り替えるようになっている。クイックリターンミラー５で上方に反射された光は、光学平板６面上に結像する。ここで、光学平板６の下面６Ｂはフレネル面が形成され、また、光学平板６の上面６Ａはマット面が形成されており、ピント板やフォーカシングスクリーンなどと称されるものである。
【００１９】
光学平板６に形成された被写体像は、ペンタダハプリズム７で正立正像とされて接眼レンズ８を介し不図示の撮影者の瞳に導かれる。この場合、被写体像は、ファインダー内で表示される測距及び測光ポイントの位置を示す複数の反射プリズム群や四角形の枠を設けた表示部材としての光学平板６によって、ファインダー内で点や枠とともに撮影者に視認される。
【００２０】
また、撮影者が測距及び測光ポイントの位置を知ることができるのは、光学平板６の下面に設けられた反射プリズム群で反射した光が、被写体像と共にペンタダハプリズム７及び接眼レンズ８を介して撮影者の瞳へ導かれるためである。
【００２１】
焦点検出領域で照明から照射される（反射した）光は、照明光源９から発せられた照明光であり、照明光は照明光学系１０及びペンタダハプリズム７を介し、撮影光学系２の光軸を含む平面内で撮影視野の短辺方向から光学平板６を斜めに照射する経路を通る。なお、短辺方向とは、図１の左右方向、後述する図２の光学平板の上下方向及びファインダー視野内の上下方向である。
【００２２】
図２は、本発明に係る一実施形態におけるカメラ１の光学平板６の図である。
【００２３】
光学平板６は、左周辺領域２１、右周辺領域２２、その間に配置された中央領域２３を有する。左周辺領域２１には、指標としての枠線２１ｃ及び枠線２１ｄで構成された枠２１ａが３箇所形成されている。また、右周辺領域２２には指標としての枠線２２ｃ及び枠線２２ｄで構成された枠２２ａも３箇所形成されている。各枠線は、被写体からの光や照明から照射される照明光を撮影者の目に導く方向に透過ならびに反射させないようにする。
【００２４】
さらに、中央領域２３には指標としての枠線２３ｃ及び枠線２３ｄで構成された枠２３ａが３箇所形成されている。したがって、枠２１ａ、２２ａ、２３ａは計で９箇所形成されている。また、指標として反射プリズム群２１ｂ、２２ｂ、２３ｂが、光学平板６上で枠２１ａ、２２ａ、２３ａの反対側の表面に、かつ枠２１ａ、２２ａ、２３ａの中央に位置するように計９箇所形成されている。
【００２５】
図３は反射プリズムを示している。反射プリズム群２１ｂは、図３（Ａ）に示す、２方向に傾斜した斜面３２及び３３とそれぞれの斜面が接して形成される稜線３４からなる反射プリズム３１が、枠線２１ｃに対し稜線３４が角度α傾いて複数並べられて形成されている。
【００２６】
一方で、反射プリズム群２２ｂは、図３（Ａ）に示す反射プリズム３１が枠線２２ｃに対し、反射プリズム群２１ｂとは反対の向きに角度α傾いて複数並べられて形成されている。
【００２７】
反射プリズム群２３ｂは、図３（Ｂ）に示す、２方向に傾斜した斜面３６及び３７とそれぞれの斜面が接して形成される稜線３８からなる反射プリズム３５が、枠線２３ｃに対し稜線３８が平行になるよう複数並べられて形成されている。
【００２８】
図４は、枠２１ａ及び２２ａの部分拡大図であり、図２に示す光学平板６の表面６Ａのマット面上に、斜面４２及び斜面４３とそれぞれの斜面が接して形成される稜線４４で構成された断面がＶ字形の凸部４１で形成される。
【００２９】
枠線２１ｃの凸部４１の稜線４４は、反射プリズム３１の稜線３４と平行でないため、ファインダー上で被写体からレンズ及び光学平板６を介してくる光が凸部４１の斜面４２及び斜面４３で曲がることにより撮影者の目に光が届かなく、撮影者は凸部４１を黒い線状の指標として認識することができる。
【００３０】
枠線２２ｃの凸部４１の稜線４４も同様に、反射プリズム３１の稜線３４と平行でないため、ファインダー上で被写体からレンズ及び光学平板６を介してくる光が凸部４１の斜面４２及び斜面４３で曲がることにより撮影者の目に光が届かなく、撮影者は凸部４１を黒い線状の指標として認識することができる。
【００３１】
一方、枠２３ａ内に形成された反射プリズム群２３ｂの反射プリズム３５の稜線３８は、枠線２１ｃ及び２２ｃと平行である。そのため、枠線２３ｃの形状が枠線２１ｃ及び２２ｃのように図４に示すＶ字形の凸部がある一定の高さであるとき、被写体からの光が反射プリズム３５の斜面３６及び３７で屈折して光学平板６内を通り、凸部４１の斜面４２及び４３で屈折して、撮影者の目に届いてしまう。そして、枠線２３ｃの反射プリズム３５が形成されている範囲が、この現象により白く抜け、枠線２３ｃ内で枠線の濃淡に差がつき、枠線の鮮明性が劣る。
【００３２】
そこで、本発明の光学平板６は、枠２３ａの枠線２３ｃの形状を、複数配列された円錐部と高さの低い凸部で構成する。これによって、撮影者がファインダーを覗いて枠線２３ｃを見たとき、枠線２３ｃ内での濃淡の差がなくなり、視認性を向上させることができる。
【００３３】
以下、枠線２３ｃ及び２３ｄの詳細な構成を説明する。図５（Ａ）は、枠線２３ｃ及び２３ｄからなる枠２３ａの四隅の一部を示した平面図であり、図５（Ｂ）は図５（Ａ）のＡ−Ａ断面図である。枠線２３ｃは、複数の円錐部５１と、断面がＶ字形の凸部５３及び５４で形成されている。円錐部５１は、枠線２３ｃの幅寸法内に収まるように一定のピッチで複数形成されている。
【００３４】
また、凸部５３及び５４は、枠線２３ｃの線幅内（幅寸法内）に収まるように円錐部５１に対し左右両端（円錐部５１の配列により構成された線の両側）に形成されている。また、凸部５３及び５４の高さは、図５（Ｂ）に示すように円錐部５１の頂点５２より低くなっている。これにより、枠線２３ｃは反射プリズム３５の稜線３８と平行となる所定の高さの稜線を持たないこととなる。
【００３５】
一方、枠線２３ｄは、図５（Ａ）に示すように斜面５６及び斜面５７とそれぞれの斜面が接して形成される稜線５８からなる断面がＶ字形の凸部５５で形成されている。これは、枠線２３ｄの凸部５５の稜線５８が、反射プリズム３５の稜線３８と平行でないためである。
【００３６】
以上の結果、被写体からの光が枠線２３ｃの円錐部５１で曲がることにより撮影者の目に光が届くことがなくなり、撮影者は枠線２３ｃを黒い線として認識することができる。
【００３７】
次に、本発明に係るファインダー内の表示部材を成形するのに必要とする枠線を形成するための金型８１（図８）の金型加工方法を図６、図７に基づいて説明する。図６は、金型８１を製作する加工機６１の模式図であり、（Ａ）は平面図、（Ｂ）は正面図である。図７は、図６の加工機に使用される回転工具７０の図であり、（Ａ）は回転工具を先端側から見た図であり、（Ｂ）は正面図である。
【００３８】
加工機６１は、ＸＹスライダ６５とＺスライダ６３との直交３方向の直進位置決め軸とＢ軸回転装置６４とＣ軸回転装置６６との２つの回転位置決め軸を有する５軸精密ＮＣ加工機である。
【００３９】
切削加工を行う回転工具７０は、Ｃ軸回転装置６６上に固定された回転スピンドル６８に取付けられ、高速回転できるようになっている。また、金型８１となる被加工物６９は、Ｂ軸回転装置６４に固定されている。
【００４０】
図７に示す回転工具７０は、回転スピンドル６８（図６）に取付けられるシャンク部７５と刃先部７６とで形成されている。刃先部７６の先端部には、単結晶ダイヤモンドから形成されたチップ７７がロウ付けされて、刃先が形成されている。チップ７７は、四角錐の形状に研磨されて４つの切れ刃稜線７４が形成されている。４つの切れ刃稜線７４は、四角錐の頂点を通る工具中心軸７８に対して回転対称に形成されている。また、切れ刃稜線７４と工具中心軸７８とがなす頂角θは、凸部４１、５３、５４、５５、円錐部５１の断面形状の先端角度の１／２に設定されている。
【００４１】
次に、加工機６１及び回転工具７０を使用して、光学平板６に形成する枠２１ａ，２２ａ及び２３ａを被加工物６９に形成して金型８１を製作する手順を説明する。
【００４２】
まず、被加工物６９は、Ｚ軸方向に向きを決められてＢ軸回転装置６４に取り付けられる。
【００４３】
次に、回転工具７０は、回転工具７０の先端の四角錐の頂点７１及び回転工具７０の工具中心軸７８が、回転スピンドル６８の回転中心軸と一致するように、回転工具７０の振れが調整されて回転スピンドル６８に装着される。
【００４４】
以上の調整が行われた後、回転工具７０を回転スピンドル６８によって所定の回転数で回転させ、その頂点７１を、Ｘ軸とＺ軸を使用して枠線２１ｃ及び２１ｄの凸部４１の反転形状を加工できる位置に合わせる。次に、Ｙ軸とＺ軸を使用して、回転工具７０の頂点７１を走査させ、回転工具７０によって、凸部４１の凹状の反転形を被加工物６９に形成する。枠線２２ｃ及び２２ｄの凸部４１、及び枠線２３ｄの凸部５５の反転形状も同様の方法で形成する。
【００４５】
続いて、回転工具７０の頂点７１を枠線２３ｃの反転形状を加工できる位置に合わせる。次に、回転工具７０の頂点７１をＹ軸方向（被加工物方向）に移動させ切込み、Ｙ軸において逆方向に戻す。Ｙ軸とＺ軸を使用してこのことを繰り返し、所定のピッチ分離れた複数の円錐部５１の反転形状を被加工物６９に形成する。そして最後に、円錐部５１の両側に、円錐部５１の頂点５２よりも浅い切込みで、凸部５３及び５４の反転形状を加工する。
【００４６】
このようにして、凸部４１で構成された枠２１ａ、２２ａ，及び凸部５３．５４及び５５と円錐部５１で構成された枠２３ａの反転形状を形成する。この結果、被加工物６９は、金型８１となる。
【００４７】
このようにして、金型８１は、１本の回転工具で連続して加工されるため、加工精度の向上と加工時間の短縮とが図られる。
【００４８】
次に、光学平板６の製造方法を説明する。図８は製造工程を示す簡略図である。
【００４９】
まず、マット面を有する金型に前述した１本の回転工具７０で、光学平板６の凸部４１、５３、５４、５５及び円錐部５１の反転形状を前述した金型製作方法によって連続して刻み込み金型８１を製作する。
【００５０】
次に、フレネル面を有する金型に、光学平板６の反射プリズム３１及び３５の反転形状を刻み込み金型８２を製作する。
【００５１】
続いて、図８（Ｃ）に示すように製作した金型８１及び８２を用いて射出成形などによりプラスチック成形を行う。
【００５２】
最後に、図８（Ｄ）に示すように、金型８１及び８２からプラスチック成形品８３を分離する。分離したプラスチック成形品８３は、枠２１ａ、２２ａ、２３ａ及び反射プリズム群２１ｂ、２２ｂ、２３ｂが形成された光学平板６となる。これによって、光学平板６が成形が完了する。
【００５３】
上述の本実施形態で製作されたファインダー内に設けられる表示部材である光学平板６の枠線の形状や大きさは以下の通りである。
【００５４】
表１は光学平板６の枠線の各寸法を示す。枠線は、複数の円錐部と凸部で形成されている。円錐部は、枠線の幅寸法３０mm内に収まるように複数形成されている。また、凸部は、枠線の幅寸法３０mm内に収まるように円錐部に対し左右に形成されている。
【００５５】
【表１】
0006410556.tif 000002
【００５６】
以上の方法により製造された成形である光学平板６の枠線は、従来のような色の濃淡の差がなく、良好な視認性を得ることができた。
【００５７】
以上説明した実施態様では、回転工具７０の刃先部７６の先端に設けたチップ７７は四角錐の形状に研磨されているが、三角錐などその他の角錐形状でも良い。
【符号の説明】
【００５８】
１：一眼レフカメラ
６：光学平板（ファインダー内に設けられる表示部材）
２１：左周辺領域
２２：右周辺領域
２３：中央領域
２１a、２２a、２３a：枠
２１b、２２b、２３b：反射プリズム群
２１ｃ、２１ｄ、２２ｃ、２２ｄ、２３ｃ、２３ｄ：枠線
３１、３５：反射プリズム
３４、３８：稜線
４１：凸部
５１：円錐部
５２：頂点
５３、５４、５５：凸部
６１：加工機
７０：回転工具
７１：頂点
８１：金型
８２：金型
８３：成形品
【図１】
0006410556.tif 000003
【図２】
0006410556.tif 000004
【図３】
0006410556.tif 000005
【図４】
0006410556.tif 000006
【図５】
0006410556.tif 000007
【図６】
0006410556.tif 000008
【図７】
0006410556.tif 000009
【図８】
0006410556.tif 000010
【図９】
0006410556.tif 000011